(57)【特許請求の範囲】
【請求項１】
第２電源端子、および、第２データ端子を備える第２通信機器と接続可能であり、
前記第２電源端子が接続可能な第１電源端子と、
前記第２データ端子が接続可能な第１データ端子と、
スタンバイ状態のときに、前記第１電源端子に電源電圧を供給するスタンバイ電源回路と、
スタンバイ状態のときに、前記第１データ端子に供給される電源電圧を検出することにより、前記第１電源端子に前記第２電源端子が接続され、かつ、前記第１データ端子に前記第２データ端子が接続されたことを検出する接続検出部と、
前記第１データ端子と前記接続検出部とを電気的に接続させるまたは切断させる接続制御手段と、を備え、
前記接続制御手段が、スタンバイ状態のときに前記第１データ端子と前記接続検出部とを電気的に接続させ、電源オン状態のときに前記第１データ端子と前記接続検出部とを電気的に切断させ、
スタンバイ状態のときに、前記第１電源端子に前記第２電源端子が接続され、かつ、前記第１データ端子に前記第２データ端子が接続された際、前記スタンバイ電源回路からの電源電圧が、前記第１電源端子から前記第２電源端子に供給されることにより、前記第２データ端子から前記第１データ端子に電源電圧が供給され、前記接続検出部が前記第１データ端子に供給される電源電圧を検出する、通信機器。
【請求項２】
前記接続検出部が、前記第２データ端子から前記第１データ端子に供給される電源電圧に応じて、オン状態またはオフ状態が変化するトランジスタを有し、トランジスタの状態に応じて、前記第１電源端子に前記第２電源端子が接続され、かつ、前記第１データ端子に前記第２データ端子が接続されたことを検出する、請求項１に記載の通信機器。
【請求項３】
電源オン状態のときに電源電圧を生成し、スタンバイ状態のときに電源電圧を生成しないメイン電源回路と、
前記メイン電源回路からの電源電圧が供給され、前記第１データ端子に接続されており、前記第１データ端子を介して前記第２通信機器と通信するコントローラと、
制御手段からの制御信号に応じて、電源オン状態とスタンバイ状態とを切換える電源切換部とをさらに備え、
前記接続検出部が、
前記スタンバイ電源回路からの電源電圧が供給されて動作し、前記第１電源端子に前記第２電源端子が接続され、かつ、前記第１データ端子に前記第２データ端子が接続されたことを検出したときに、前記電源切換部にスタンバイ状態から電源オン状態に切換えさせる前記制御手段を有する、請求項１または２に記載の通信機器。
【請求項４】
第２電源端子、および、第２データ端子を備える第２通信機器と接続可能であり、前記第２電源端子が接続可能な第１電源端子と、前記第２データ端子が接続可能な第１データ端子と、スタンバイ状態のときに、前記第１電源端子に電源電圧を供給するスタンバイ電源回路と、第１データ端子と接続検出部とを電気的に接続させるまたは切断させる接続制御手段と、を備える通信機器における接続検出方法であって、
スタンバイ状態のときに、前記第１データ端子と前記接続検出部とを電気的に接続させるステップと、
電源オン状態のときに前記第１データ端子と前記接続検出部とを電気的に切断させるステップと、
スタンバイ状態のときに、前記第１電源端子に前記第２電源端子が接続され、かつ、前記第１データ端子に前記第２データ端子が接続された際、前記スタンバイ電源回路からの電源電圧が、前記第１電源端子から前記第２電源端子に供給されることにより、前記第２データ端子から前記第１データ端子に電源電圧が供給されるステップと、
前記第１データ端子に供給される電源電圧を検出することにより、前記第１電源端子に前記第２電源端子が接続され、かつ、前記第１データ端子に前記第２データ端子が接続されたことを検出するステップとを含む、接続検出方法。
【発明の詳細な説明】
【技術分野】
【０００１】
本発明は、通信機器および接続検出方法に関する。
【背景技術】
【０００２】
最近のオーディオアンプは、ＵＳＢ端子を備え、ＵＳＢ経由で携帯型プレーヤが接続可能である。携帯型プレーヤは、音楽ファイルをフラッシュメモリに格納しており、ＵＳＢ経由で音楽信号をオーディオアンプに供給する。オーディオアンプは、供給された音楽信号を増幅して、スピーカーから音声を出力する。また、オーディオアンプは、ＵＳＢ経由で電源電圧を携帯型プレーヤに供給し、携帯型プレーヤのバッテリを充電させることができる。
【０００３】
ここで、オーディオアンプは、消費電力低減のため、スタンバイ状態においてメイン電源回路をオフ状態にし、ホストコントローラの動作を停止させている。一方、携帯型プレーヤは、オーディオアンプのホストコントローラと通信を実行しているときにオーディオアンプからの電源電圧に基づいてバッテリを充電し、通信を実行していないときにバッテリを充電できないものがある。従って、オーディオアンプがスタンバイ状態のときには、ホストコントローラが動作を実行せず、携帯型プレーヤと通信しないので、オーディオアンプから携帯型プレーヤに電源電圧を供給したとしても、携帯型プレーヤのバッテリを充電させることができない。また、携帯型プレーヤが接続されているかどうかは、ホストコントローラが認識するが、スタンバイ状態においては、ホストコントローラが動作していないので、携帯型プレーヤが接続されたことを検出することができない。
【先行技術文献】
【特許文献】
【０００４】
【特許文献１】特開２０１１−２２３６６９号
【特許文献２】特開２０１１−８６７３号
【特許文献３】特開２００９−１１１５３号
【発明の概要】
【発明が解決しようとする課題】
【０００５】
本発明は上記従来の課題を解決するためになされたものであり、その目的は、スタンバイ状態のときに、第２通信機器が接続されたことを検出することができる通信機器を提供することにある。
【課題を解決するための手段】
【０００６】
本発明の好ましい実施形態による通信機器は、第２電源端子、および、第２データ端子を備える第２通信機器と接続可能であり、前記第２電源端子が接続可能な第１電源端子と、前記第２データ端子が接続可能な第１データ端子と、スタンバイ状態のときに、前記第１電源端子に電源電圧を供給するスタンバイ電源回路と、スタンバイ状態のときに、前記第１データ端子に供給される電源電圧を検出することにより、前記第１電源端子に前記第２電源端子が接続され、かつ、前記第１データ端子に前記第２データ端子が接続されたことを検出する接続検出部とを備え、スタンバイ状態のときに、前記第１電源端子に前記第２電源端子が接続され、かつ、前記第１データ端子に前記第２データ端子が接続された際、前記スタンバイ電源回路からの電源電圧が、前記第１電源端子から前記第２電源端子に供給されることにより、前記第２データ端子から前記第１データ端子に電源電圧が供給され、前記接続検出部が前記第１データ端子に供給される電源電圧を検出する。
【０００７】
従って、スタンバイ状態においても、第２通信機器が接続されたことを検出することができる。
【０００８】
好ましい実施形態においては、前記接続検出部が、前記第２データ端子から前記第１データ端子に供給される電源電圧に応じて、オン状態またはオフ状態が変化するトランジスタを有し、トランジスタの状態に応じて、前記第１電源端子に前記第２電源端子が接続され、かつ、前記第１データ端子に前記第２データ端子が接続されたことを検出する。
【０００９】
好ましい実施形態においては、電源オン状態のときに電源電圧を生成し、スタンバイ状態のときに電源電圧を生成しないメイン電源回路と、前記メイン電源回路からの電源電圧が供給され、前記第１データ端子に接続されており、前記第１データ端子を介して前記第２通信機器と通信するコントローラと、制御手段からの制御信号に応じて、電源オン状態とスタンバイ状態とを切換える電源切換部とをさらに備え、前記接続検出部が、前記スタンバイ電源回路からの電源電圧が供給されて動作し、前記第１電源端子に前記第２電源端子が接続され、かつ、前記第１データ端子に前記第２データ端子が接続されたことを検出したときに、前記電源切換部にスタンバイ状態から電源オン状態に切換えさせる前記制御手段を有する。
【００１０】
接続検出部が第２通信機器が接続されたことを検出したとき、制御手段は、電源切換部にスタンバイ状態から電源オン状態に移行させる。従って、コントローラが動作を開始し、第２通信機器と通信を実行するので、第２通信機器のバッテリを充電させることができる。
【００１１】
好ましい実施形態においては、スタンバイ状態のときに前記第１データ端子と前記接続検出部とを電気的に接続させ、電源オン状態のときに前記第１データ端子と前記接続検出部とを電気的に切断させる接続制御手段をさらに備える。
【００１２】
この場合、電源オン状態において、ホストコントローラと第２通信機器との間の通信信号が乱れることを防止できる。あるいは、コントローラが送受信する通信信号が接続検出部に供給されないので、接続有無の誤検出を防止できる。
【００１３】
本発明の好ましい実施携帯による接続検出方法は、第２電源端子、および、第２データ端子を備える第２通信機器と接続可能であり、前記第２電源端子が接続可能な第１電源端子と、前記第２データ端子が接続可能な第１データ端子と、スタンバイ状態のときに、前記第１電源端子に電源電圧を供給するスタンバイ電源回路とを備える通信機器における接続検出方法であって、スタンバイ状態のときに、前記第１電源端子に前記第２電源端子が接続され、かつ、前記第１データ端子に前記第２データ端子が接続された際、前記スタンバイ電源回路からの電源電圧が、前記第１電源端子から前記第２電源端子に供給されることにより、前記第２データ端子から前記第１データ端子に電源電圧が供給されるステップと、前記第１データ端子に供給される電源電圧を検出することにより、前記第１電源端子に前記第２電源端子が接続され、かつ、前記第１データ端子に前記第２データ端子が接続されたことを検出するステップとを含む。
【発明の効果】
【００１４】
以上のように、本願発明によると、スタンバイ状態のときに、第２通信機器が接続されたことを検出することができる通信機器を提供することができる。
【図面の簡単な説明】
【００１５】
【図１】本発明の好ましい実施形態による通信機器（増幅装置）を示す回路ブロック図である。
【図２】第２通信機器（携帯型プレーヤ）を示すブロック図である。
【図３】第２通信機器（携帯型プレーヤ）を示すブロック図である。
【図４】ＣＰＵの処理を示すフローチャートである。
【図５】本発明の別の好ましい実施形態による通信機器（増幅装置）を示す回路ブロック図である。
【図６】第２通信機器（携帯型プレーヤ）を示すブロック図である。
【図７】第２通信機器（携帯型プレーヤ）を示すブロック図である。
【発明を実施するための形態】
【００１６】
以下、本発明の好ましい実施形態について、図面を参照して具体的に説明するが、本発明はこれらの実施形態には限定されない。図１は、本発明の好ましい実施形態による第１通信機器１を示す回路ブロック図である。図２は、第２通信機器１００を、図３は、第２通信機器２００をそれぞれ示すブロック図である。第１通信機器１は例えば増幅装置であり、以下、増幅装置１と記載する。第２通信機器１００、２００は例えば携帯型音楽プレーヤであり、以下、携帯型プレーヤ１００、２００と記載する。増幅装置１は、携帯型プレーヤ１００又は２００と、任意に適切な規格の通信ラインを介して接続され、相互に通信可能である。任意の規格の通信ラインは、特に限定されないが、本例ではＵＳＢである。携帯型プレーヤ１００、２００は、ＵＳＢ経由で増幅装置１のホストコントローラ５と通信しているときに増幅装置１から供給される電源電圧に基づいて、図示しないバッテリを充電する。一方、携帯型プレーヤ１００、２００は、ホストコントローラ５と通信していないとき、増幅装置１から電源電圧が供給されても、バッテリを充電できない。
【００１７】
図１に示すように、増幅装置１は、メイン電源回路２と、スタンバイ電源回路３と、電源切換部４と、ホストコントローラ５と、ＵＳＢ端子６と、接続検出部７とを概略備える。なお、アンプ回路等の一般的な構成については図示を省略する。
【００１８】
メイン電源回路２は、交流電源電圧ＡＣが供給され、交流電源電圧ＡＣを整流及び平滑し、直流電源電圧を生成する。メイン電源回路２は、生成した直流電源電圧（＋５Ｖ電源電圧）を、ホストコントローラ５、及び、ＵＳＢ端子６の＋Ｖ端子に供給する。メイン電源回路２は、電源オン状態において、交流電源電圧ＡＣが供給され、直流電源電圧を生成する。メイン電源回路２は、スタンバイ状態において、交流電源電圧ＡＣが供給されず、直流電源電圧を生成しない。すなわち、ホストコントローラ５は、電源オン状態においては、メイン電源回路２から直流電源電圧が供給されて動作を実行することができるが、スタンバイ状態においては、メイン電源回路２から直流電源電圧が供給されず動作を実行することができない。
【００１９】
メイン電源回路２は、トランスＴ１と、全波整流回路Ｄ１と、コンデンサＣ１と、ＤＣ／ＤＣコンバータ２１とを含む。トランスＴ１は、供給された交流電源電圧ＡＣを一次巻線と二次巻線との巻数比に応じて変圧し、全波整流回路Ｄ１に供給する。全波整流回路Ｄ１は、トランスＴ１からの交流電源電圧ＡＣを全波整流し、コンデンサＣ１は全波整流回路Ｄ１からの電圧を平滑する。ＤＣ／ＤＣコンバータ２１は、＋５Ｖの直流電源電圧を生成し、ホストコントローラ５、及び、ＵＳＢ端子６の＋Ｖ端子に供給する。
【００２０】
スタンバイ電源回路３は、交流電源電圧ＡＣが供給され、交流電源電圧ＡＣを整流及び平滑し、直流電源電圧を生成する。スタンバイ電源回路３は、生成した直流電源電圧（＋３．３Ｖ電源電圧）を、ＣＰＵ７１に供給する。また、スタンバイ電源回路３は、生成した直流電源電圧（＋５Ｖ電源電圧）を、ダイオードＤ３を介して、ＵＳＢ端子６の＋Ｖ端子に供給する。スタンバイ電源回路３は、電源オン状態、及び、スタンバイ状態の双方において、交流電源電圧ＡＣが供給され、直流電源電圧を生成する。すなわち、ＣＰＵ７１は、スタンバイ状態においても、スタンバイ電源回路３からの直流電源電圧が供給されて動作を実行することができる。
【００２１】
スタンバイ電源回路３は、トランスＴ２と、全波整流回路Ｄ２と、コンデンサＣ２と、電圧安定化回路（三端子レギュレータ）３１、３２とを含む。トランスＴ２は、供給された交流電源電圧ＡＣを一次巻線と二次巻線との巻数比に応じて変圧し、全波整流回路Ｄ２に供給する。全波整流回路Ｄ２は、トランスＴ２からの交流電源電圧ＡＣを全波整流し、コンデンサＣ２は全波整流回路Ｄ２からの電圧を平滑する。電圧安定化回路３１は、＋５Ｖの直流電源電圧を生成し、ダイオードＤ３および電圧安定化回路３２に供給する。電圧安定化回路３２は、供給された＋５Ｖ電源電圧から、＋３．３Ｖ電源電圧を生成し、ＣＰＵ７１に供給する。
【００２２】
電源切換部４は、ＣＰＵ７１からの制御信号に応じて、増幅装置１の電源状態を、電源オン状態またはスタンバイ状態に切換える。つまり、電源切換部４は、メイン電源回路２に交流電源電圧ＡＣを供給するか否かを切換える。電源切換部４は、リレースイッチＳＷ１と、コイルＬ１と、トランジスタＱ１とを含む。リレースイッチＳＷ１は、一端がトランスＴ１の一次巻線の一端に接続され、他端には交流電源電圧ＡＣが供給される。コイルＬ１は、一端に電源電圧Ｖａが供給され、他端がトランジスタＱ１のコレクタに接続されている。トランジスタＱ１は、エミッタが接地電位に接続され、ベースにはＣＰＵ７１からの制御信号が供給される。
【００２３】
電源オン状態においては、ＣＰＵ７１からハイレベルの制御信号がトランジスタＱ１のベースに供給され、トランジスタＱ１はオン状態になるので、コイルＬ１に電流が流れ、リレースイッチＳＷ１がオン状態になる。従って、交流電源電圧ＡＣがメイン電源回路２のトランスＴ１に供給される。一方、スタンバイ状態においては、ＣＰＵ７１からローレベルの制御信号がトランジスタＱ１のベースに供給され、トランジスタＱ１はオフ状態になるので、コイルＬ１に電流が流れず、リレースイッチＳＷ１がオフ状態になる。従って、交流電源電圧ＡＣがメイン電源回路２のトランスＴ１に供給されない。
【００２４】
ホストコントローラ５は、ＵＳＢ端子６を介して携帯型プレーヤ１００、２００の各ホストコントローラと通信する。通信とは、各種の制御信号やコンテンツデータ（音楽データや画像データ等）を送受信することをいう。ホストコントローラ５は、メイン電源回路２からの直流電源電圧に基づいて動作を実行する。従って、メイン電源回路２が動作する電源オン状態においては動作を実行することができるが、メイン電源回路２が動作しないスタンバイ状態においては動作を実行することができない。ホストコントローラ５は、電源オン状態において、ＵＳＢ端子６に携帯型プレーヤ１００または２００が接続されているか否かを認識することができる。しかし、ホストコントローラ５は、スタンバイ状態において、ＵＳＢ端子６に携帯型プレーヤ１００または２００が接続されているか否かを認識することができない。
【００２５】
ＵＳＢ端子６は、携帯型プレーヤ１００または２００の各ＵＳＢ端子と接続可能である。ＵＳＢ端子６は、一般的に、Ｄ＋端子（第１データ端子）、Ｄ−端子（第１データ端子）および＋Ｖ端子（第１電源端子）を含む。Ｄ＋端子、Ｄ−端子は、制御信号やコンテンツデータを送受信するための端子であり、＋Ｖ端子は、＋５Ｖ電源電圧を増幅装置１から携帯型プレーヤ１００または２００に供給する端子である。Ｄ＋端子は、携帯型プレーヤ１００または２００のＤ＋端子に接続可能であり、Ｄ−端子は、携帯型プレーヤ１００または２００のＤ−端子に接続可能であり、＋Ｖ端子は、携帯型プレーヤ１００または２００の＋Ｖ端子に接続可能である。電源オン状態においては＋Ｖ端子にはメイン電源回路２およびスタンバイ電源回路３からの＋５Ｖ電源電圧が供給されており、＋５Ｖ電源電圧を携帯型プレーヤ１００または２００に出力する。スタンバイ状態においては＋Ｖ端子にはスタンバイ電源回路３からの＋５Ｖ電源電圧が供給されており、＋５Ｖ電源電圧を携帯型プレーヤ１００または２００に出力する。
【００２６】
接続検出部７は、スタンバイ状態のときに、ＵＳＢ端子６に携帯型プレーヤ１００または２００が接続されたか否かを検出する。つまり、接続検出部７は、スタンバイ状態のときに、携帯型プレーヤ１００のＤ＋端子から、増幅装置１のＤ＋端子に供給される電源電圧を検出することにより、増幅装置１のＤ＋端子に携帯型プレーヤ１００のＤ＋端子が接続され、かつ、増幅装置１の＋Ｖ端子に携帯型プレーヤ１００の＋Ｖ端子が接続されたことを検出する。また、接続検出部７は、スタンバイ状態のときに、携帯型プレーヤ２００のＤ−端子から、増幅装置１のＤ−端子に供給される電源電圧を検出することにより、増幅装置１のＤ−端子に携帯型プレーヤ２００のＤ−端子が接続され、かつ、増幅装置１の＋Ｖ端子に携帯型プレーヤ２００の＋Ｖ端子が接続されたことを検出する。
【００２７】
接続検出部７は、ＣＰＵ７１（制御手段）と、ダイオードＤ３と、抵抗Ｒ１と、トランジスタＱ２と、スイッチ（接続制御手段）ＳＷ２、ＳＷ３と、ダイオードＤ４、Ｄ５とを含む。
【００２８】
トランジスタＱ２は、携帯型プレーヤ１００のＤ＋端子から増幅装置１のＤ＋端子に供給される電源電圧に応じて、オン状態またはオフ状態が変化する。また、トランジスタＱ２は、携帯型プレーヤ２００のＤ−端子から増幅装置１のＤ−端子に供給される電源電圧に応じて、オン状態またはオフ状態が変化する。本例では、トランジスタＱ２は、ｎｐｎ型トランジスタが採用され、増幅装置１のＤ＋端子またはＤ−端子に電源電圧が供給された際に、ベースにハイレベルの信号が供給されるので、オフ状態からオン状態になり、ＵＳＢ端子６に携帯型プレーヤ１００または２００が接続されたことが検出される。なお、トランジスタＱ２には、ｐｎｐ型トランジスタが採用されてもよく、ＦＥＴが採用されてもよい。
【００２９】
ＣＰＵ７１は、ＵＳＢ端子６に携帯型プレーヤ１００または２００が接続されたことを検出した際に、スタンバイ状態から電源オン状態に移行するように電源切換部４を制御する。従って、ＵＳＢ端子６に携帯型プレーヤ１００または２００が接続された際に、メイン電源回路２からの電源電圧をホストコントローラ５に供給し、ホストコントローラ５を動作させることができる。従って、ホストコントローラ５が携帯型プレーヤ１００または２００と通信することによって、携帯型プレーヤ１００または２００は、増幅装置１の＋Ｖ端子からの電源電圧によってバッテリを充電することができる。
【００３０】
ＣＰＵ７１は、端子７１ａ（特に限定されないが例えば割込み端子）を有し、端子７１ａはトランジスタＱ２のコレクタと抵抗Ｒ１の一端とに接続されている。ＣＰＵ７１は、電圧安定化回路３２から＋３．３Ｖ電源電圧が供給され、スタンバイ状態においても動作を実行することができる。トランジスタＱ２は、エミッタが接地電位に接続され、ベースがダイオード４およびスイッチＳＷ２を介してＤ＋端子に接続され、かつ、ダイオードＤ５およびスイッチＳＷ３を介してＤ−端子に接続されている。ダイオードＤ４、Ｄ５は、ダイオードＯＲ回路を構成し、Ｄ＋端子およびＤ−端子に供給される電圧をトランジスタＱ２のベースに供給する。なお、ダイオードＤ４、Ｄ５に代えて、ＯＲ回路が採用されてもよい。抵抗Ｒ１の他端は、電圧安定化回路３２に接続され、＋３．３Ｖ電源電圧が供給されている。
【００３１】
スイッチＳＷ２、ＳＷ３はＣＰＵ７１からの制御信号に応じて、オン状態またはオフ状態に制御される。スイッチＳＷ２、ＳＷ３は、例えば、ＣＭＯＳバススイッチＩＣ（ＵＳＢスイッチ）が採用される。スイッチＳＷ２は、スタンバイ状態のときにオン状態になり、増幅装置１のＤ＋端子とトランジスタＱ２とを電気的に接続させ、トランジスタＱ２にＤ＋端子に電源電圧が供給されたか否かを検出可能とさせる。スイッチＳＷ２は、電源オン状態のときにオフ状態になり、増幅装置１のＤ＋端子とトランジスタＱ２とを電気的に切断させる（開放させる）。従って、電源オン状態のときに、ホストコントローラ５と、携帯型プレーヤ１００との間で通信が実行される（制御信号やコンテンツデータが送受信される）際に、通信信号が接続検出部７の回路素子によって乱れることを防止することができる。さらに、電源オン状態のときに、ホストコントローラ５と、携帯型プレーヤ１００との間で通信が実行される際に、通信信号がトランジスタＱ２のベースに供給されることを防止し、接続検出部７が通信信号によって接続有無を誤検出することを防止することができる。
【００３２】
同様に、スイッチＳＷ３は、スタンバイ状態のときにオン状態になり、増幅装置１のＤ−端子とトランジスタＱ２とを電気的に接続させ、トランジスタＱ２にＤ−端子に電源電圧が供給されたか否かを検出可能とさせる。スイッチＳＷ３は、電源オン状態のときにオフ状態になり、増幅装置１のＤ−端子とトランジスタＱ２とを電気的に切断させる。従って、電源オン状態のときに、ホストコントローラ５と、携帯型プレーヤ２００との間で通信が実行される際に、通信信号が接続検出部７の回路素子によって乱れることを防止することができる。さらに、電源オン状態のときに、ホストコントローラ５と、携帯型プレーヤ２００との間で通信が実行される際に、通信信号がトランジスタＱ２のベースに供給されることを防止し、接続検出部７が通信信号によって接続有無を誤検出することを防止できる。
【００３３】
図２に示すように、携帯型プレーヤ１００は、ホストコントローラ１０１と、ＵＳＢ端子１０２と、トランジスタＱ１０１、Ｑ１０２と、抵抗Ｒ１０１〜Ｒ１０３とを備える。なお、コンテンツデータを格納するためのフラッシュメモリ、再生部、バッテリ、マイコン等の一般的な構成については記載を省略する。携帯型プレーヤ１００は、例えば、Ｆｕｌｌ  ＳｐｅｅｄまたはＨｉｇｈ  ＳｐｅｅｄのＵＳＢに対応した一般的な携帯型プレーヤである。
【００３４】
ＵＳＢ端子１０２は、Ｄ＋端子（第２データ端子）、Ｄ−端子（第２データ端子）および＋Ｖ端子（第２電源端子）を含む。Ｄ＋端子は増幅装置１のＤ＋端子に接続可能であり、Ｄ−端子は増幅装置１のＤ−端子に接続可能であり、＋Ｖ端子は増幅装置１の＋Ｖ端子に接続可能である。トランジスタＱ１０１は、ベースが抵抗Ｒ１０３を介して＋Ｖ端子に接続され、エミッタが接地電位に接続され、コレクタが抵抗Ｒ１０１を介して＋３．３Ｖ電源電圧と、トランジスタＱ１０２のベースとに接続されている。トランジスタＱ１０２は、コレクタがＤ＋端子に接続され、エミッタが抵抗Ｒ１０２を介して＋３．３Ｖ電源電圧に接続されている。＋Ｖ端子は、増幅装置１の＋Ｖ端子から＋５Ｖ電源電圧が供給され、図示しないバッテリを充電させる。
【００３５】
ホストコントローラ１０１は、Ｄ＋端子およびＤ−端子に接続されている。ホストコントローラ１０１は、Ｄ＋端子、Ｄ−端子を介して増幅装置１のホストコントローラ５と通信する。携帯型プレーヤ１００は、ホストコントローラ１０１が増幅装置１のホストコントローラ５と通信しているとき（例えばホストコントローラ５から充電コマンドを受信しているとき）、＋Ｖ端子に供給される＋５Ｖ電源電圧によってバッテリを充電させ、ホストコントローラ１０１が増幅装置１のホストコントローラ５と通信していないとき、＋Ｖ端子に供給される＋５Ｖ電源電圧によってバッテリを充電させない。
【００３６】
図３に示すように、携帯型プレーヤ２００は、ホストコントローラ２０１と、ＵＳＢ端子２０２と、トランジスタＱ２０１、Ｑ２０２と、抵抗Ｒ２０１〜Ｒ２０３とを備える。携帯型プレーヤ２００は、例えば、Ｌｏｗ  ＳｐｅｅｄのＵＳＢに対応した一般的な携帯型プレーヤである。
【００３７】
ＵＳＢ端子２０２は、Ｄ＋端子（第２データ端子）、Ｄ−端子（第２データ端子）および＋Ｖ端子（第２電源端子）を含む。Ｄ＋端子は増幅装置１のＤ＋端子に接続可能であり、Ｄ−端子は増幅装置１のＤ−端子に接続可能であり、＋Ｖ端子は増幅装置１の＋Ｖ端子に接続可能である。トランジスタＱ２０１は、ベースが抵抗Ｒ２０３を介して＋Ｖ端子に接続され、エミッタが接地電位に接続され、コレクタが抵抗Ｒ２０１を介して＋３．３Ｖ電源電圧と、トランジスタＱ２０２のベースとに接続されている。トランジスタＱ２０２は、コレクタがＤ−端子に接続され、エミッタが抵抗Ｒ２０２を介して＋３．３Ｖ電源電圧に接続されている。＋Ｖ端子は、増幅装置１の＋Ｖ端子から＋５Ｖ電源電圧が供給され、図示しないバッテリを充電させる。
【００３８】
ホストコントローラ２０１は、Ｄ＋端子、Ｄ−端子に接続されている。ホストコントローラ２０１は、Ｄ＋端子、Ｄ−端子を介して増幅装置１のホストコントローラ５と通信する。携帯型プレーヤ２００は、ホストコントローラ２０１が増幅装置１のホストコントローラ５と通信しているとき（例えばホストコントローラ５から充電コマンドを受信しているとき）、＋Ｖ端子に供給される＋５Ｖ電源電圧によってバッテリを充電でき、ホストコントローラ２０１が増幅装置１のホストコントローラ５と通信していないとき、＋Ｖ端子に供給される＋５Ｖ電源電圧によってバッテリを充電できない。
【００３９】
以下、本実施形態の動作を説明する。図４は、ＣＰＵ７１の処理を示すフローチャートである。
［スタンバイ状態のときに携帯型プレーヤ１００が接続された際］
スタンバイ状態のとき、ＣＰＵ７１は、スイッチＳＷ２、ＳＷ３をオン状態に制御している（Ｓ１）。ＣＰＵ７１は、端子７１ａに供給される信号がハイレベルからローレベルに反転したか否かを判断している（Ｓ２）。
【００４０】
ＵＳＢ端子６に携帯型プレーヤ１００が接続されていないとき、Ｄ＋端子には電源電圧が供給されていないので、トランジスタＱ２はオフ状態になっている。従って、ＣＰＵ７１の端子７１ａには抵抗Ｒ１を介して＋３．３Ｖ電源電圧（ハイレベルの信号）が供給されているので（Ｓ２でＮＯ）、ＣＰＵ７１は、電源切換部４に、スタンバイ状態を継続させる。
【００４１】
すなわち、ＣＰＵ７１は、トランジスタＱ１のベースにローレベルの制御信号を供給し続けるので、トランジスタＱ１はオフ状態を維持する。従って、コイルＬ１には電流が流れないので、リレースイッチＳＷ１はオフ状態を維持し、メイン電源回路２には交流電源電圧ＡＣが供給されない。
【００４２】
ＵＳＢ端子６に携帯型プレーヤ１００が接続されると、スタンバイ電源回路３からの＋５Ｖ電源電圧がダイオードＤ３、増幅装置１の＋Ｖ端子を介して、携帯型プレーヤ１００の＋Ｖ端子に供給される。携帯型プレーヤ１００において、トランジスタＱ１０１は、ベースに＋５Ｖ電源電圧が供給されてオン状態になる。トランジスタＱ１０２は、ベースが接地電位に接続されるので、オン状態になる。従って、＋３．３Ｖ電源電圧が、抵抗Ｒ１０２、トランジスタＱ１０２を介して、Ｄ＋端子に供給される。そして、携帯型プレーヤ１００のＤ＋端子から、増幅装置１のＤ＋端子に＋３．３Ｖ電源電圧が供給される。Ｄ＋端子に供給された電源電圧は、スイッチＳＷ２およびダイオードＤ４を介してトランジスタＱ２のベースに供給され、トランジスタＱ２がオン状態になる。従って、ＣＰＵ７１の端子７１ａはトランジスタＱ２を介して接地電位に接続され、ローレベルの信号が供給されるので（Ｓ２でＹＥＳ）、ＣＰＵ７１は、電源切換部４にスタンバイ状態から電源オン状態に移行させる（Ｓ３）。
【００４３】
すなわち、ＣＰＵ７１は、トランジスタＱ１のベースにハイレベルの信号を供給し、トランジスタＱ１をオン状態に制御する。トランジスタＱ１がオン状態になると、コイルＬ１に電流が流れ、リレースイッチＳＷ１がオン状態になる。従って、メイン電源回路２に交流電源電圧ＡＣが供給され、電源オン状態になる。電源オン状態になると、ホストコントローラ５は、電源電圧が供給されて、起動する。
【００４４】
電源オン状態になったとき、ＣＰＵ７１は、スイッチＳＷ２、ＳＷ３をオフ状態に制御し、Ｄ＋端子、Ｄ−端子とトランジスタＱ２とを電気的に切断させる（Ｓ４）。この後、ホストコンコントローラ５は、接続された携帯型プレーヤ１００と通信を開始し、その結果、携帯型プレーヤ１００は充電動作を開始する。スイッチＳＷ２、ＳＷ３をオフ状態にすることにより、電源オン状態において、ホストコントローラ５と、携帯型プレーヤ１００のホストコントローラ１０１とが通信を実行しても、通信信号がトランジスタＱ２に供給されることがないので、通信信号の波形が乱れることを防止でき、接続検出の誤判断を防止することができる。
【００４５】
ＣＰＵ７１は、ＵＳＢ端子６から携帯型プレーヤ１００が接続解除されたか否かを判断している（Ｓ５）。詳細には、ホストコントローラ５が携帯型プレーヤ１００のホストコントローラ１０１と通信するので携帯型プレーヤ１００の接続解除を認識することができ、ＣＰＵ７１はその情報を取得することで、接続解除を判断することができる。携帯型プレーヤ１００が接続解除された場合（Ｓ５でＹＥＳ）、ＣＰＵ７１は、電源切換部４に電源オン状態からスタンバイ状態に移行させ（Ｓ６）、処理はＳ１に戻る。
【００４６】
すなわち、ＣＰＵ７１は、トランジスタＱ１のベースにローレベルの制御信号を供給するので、トランジスタＱ１はオフ状態になる。従って、コイルＬ１には電流が流れないので、リレースイッチＳＷ１はオフ状態になり、メイン電源回路２には交流電源電圧ＡＣが供給されない。
【００４７】
以上の動作によって、スタンバイ状態においてメイン電源回路２が電源電圧を生成せず、ホストコントローラ５に電源電圧が供給されないので、消費電力を低減することができる。スタンバイ状態のときに、携帯型プレーヤ１００が接続されると、接続検出部７が携帯型プレーヤ１００の接続を検出し、ＣＰＵ７１がスタンバイ状態から電源オン状態に移行させる。従って、ホストコントローラ５が携帯型プレーヤ１００と通信することで、携帯型プレーヤ１００は増幅装置１からの＋５Ｖ電源電圧によってバッテリを充電させることができる。
【００４８】
［スタンバイ状態のときに携帯型プレーヤ２００が接続された際］
ここでは、携帯型プレーヤ１００が接続された場合の動作との差異点のみを説明する。
【００４９】
ＵＳＢ端子６に携帯型プレーヤ２００が接続されていないとき、Ｄ−端子には電源電圧が供給されていないので、トランジスタＱ２はオフ状態になっている。従って、ＣＰＵ７１の端子７１ａには抵抗Ｒ１を介して＋３．３Ｖ電源電圧（ハイレベルの信号）が供給されているので（Ｓ２でＮＯ）、ＣＰＵ７１は、電源切換部４に、スタンバイ状態を継続させる。
【００５０】
ＵＳＢ端子６に携帯型プレーヤ２００が接続されると、スタンバイ電源回路３からの＋５Ｖ電源電圧がダイオードＤ３、増幅装置１の＋Ｖ端子を介して、携帯型プレーヤ２００の＋Ｖ端子に供給される。携帯型プレーヤ２００において、トランジスタＱ２０１は、ベースに＋５Ｖ電源電圧が供給されてオン状態になる。トランジスタＱ２０２は、ベースが接地電位に接続されるので、オン状態になる。従って、＋３．３Ｖ電源電圧が、抵抗Ｒ２０２、トランジスタＱ２０２を介して、Ｄ−端子に供給される。そして、携帯型プレーヤ２００のＤ−端子から、増幅装置１のＤ−端子に＋３．３Ｖ電源電圧が供給される。Ｄ−端子に供給された電源電圧は、スイッチＳＷ３およびダイオードＤ５を介してトランジスタＱ２のベースに供給され、トランジスタＱ２がオン状態になる。従って、ＣＰＵ７１の端子７１ａはトランジスタＱ２を介して接地電位に接続され、ローレベルの信号が供給されるので（Ｓ２でＹＥＳ）、ＣＰＵ７１は、電源切換部４にスタンバイ状態から電源オン状態に移行させる（Ｓ３）。
【００５１】
次に、図５を参照して、本発明の別の好ましい実施形態を説明する。本実施形態の増幅装置１１は、接続制御手段として、スイッチＳＷ１、ＳＷ２の代わりに、ローパスフィルタ（抵抗Ｒ２及びコンデンサＣ３、抵抗Ｒ３及びコンデンサＣ４）を有する。
【００５２】
スタンバイ状態において、携帯型プレーヤ１００のＤ＋端子から増幅装置１のＤ＋端子に供給される電源電圧はローパスフィルタ（Ｒ２、Ｃ３）、ダイオードＤ４を介してトランジスタ２のベースに供給され、トランジスタＱ２をオン状態に制御する。同様に、携帯型プレーヤ２００のＤ−端子から増幅装置１のＤ−端子に供給される電源電圧はローパスフィルタ（Ｒ３、Ｃ４）、ダイオードＤ５を介してトランジスタＱ２のベースに供給され、トランジスタＱ２をオン状態に制御する。
【００５３】
一方、携帯型プレーヤの接続が検出され、電源オン状態に移行した後は、ホストコントローラ５と携帯型プレーヤのホストコントローラとの間の通信信号は、ローパスフィルタによって高周波成分が除去されて、常時ハイレベルの信号としてトランジスタＱ２のベースに供給される。従って、トランジスタＱ２は、オン状態を維持し、ＣＰＵ７１の端子７１ａには接地電位が供給され続ける。ＣＰＵ７１は、これに対して、電源オン状態を継続させる。
【００５４】
次に、携帯型プレーヤの別の実施形態を説明する。図６に示すように、携帯型プレーヤ３００は、ホストコントローラ３０１と、電圧安定化回路３０２と、抵抗Ｒ３０１と、スイッチＳＷ３０１とを備える。ＵＳＢ端子６に携帯型プレーヤ３００が接続されると、スタンバイ電源回路３からの＋５Ｖ電源電圧がダイオードＤ３、増幅装置１の＋Ｖ端子を介して、携帯型プレーヤ３００の＋Ｖ端子に供給される。携帯型プレーヤ３００において、＋Ｖ端子に供給された＋５Ｖ電源電圧に基づいて、電圧安定化回路３０２が定電圧をホストコントローラ３０１に供給する。ホストコントローラ３０１は、これに応じて、スイッチＳＷ３０１をオフ状態からオン状態に切換える。すると、＋３．３Ｖ電源電圧が、抵抗Ｒ３０１、スイッチＳＷ３０１を介してＤ＋端子に供給される。そして、携帯型プレーヤ３００のＤ＋端子から、増幅装置１のＤ＋端子に＋３．３Ｖ電源電圧が供給される。
【００５５】
図７に示すように、携帯型プレーヤ４００は、ホストコントローラ４０１と、電圧安定化回路４０２と、抵抗Ｒ４０１と、スイッチＳＷ４０１とを備える。ＵＳＢ端子６に携帯型プレーヤ４００が接続されると、スタンバイ電源回路３からの＋５Ｖ電源電圧がダイオードＤ３、増幅装置１の＋Ｖ端子を介して、携帯型プレーヤ４００の＋Ｖ端子に供給される。携帯型プレーヤ４００において、＋Ｖ端子に供給された＋５Ｖ電源電圧に基づいて、電圧安定化回路４０２が定電圧をホストコントローラ４０１に供給する。ホストコントローラ４０１は、これに応じて、スイッチＳＷ４０１をオフ状態からオン状態に切換える。すると、＋３．３Ｖ電源電圧が、抵抗Ｒ４０１、スイッチＳＷ４０１を介してＤ−端子に供給される。そして、携帯型プレーヤ４００のＤ−端子から、増幅装置１のＤ−端子に＋３．３Ｖ電源電圧が供給される。
【００５６】
以上、本発明の好ましい実施形態について説明したが、本発明はこれらの実施形態には限定されない。
【産業上の利用可能性】
【００５７】
本発明は、例えばオーディオアンプに好適に採用され得る。
【符号の説明】
【００５８】
１        通信機器、増幅装置
２        メイン電源回路
３        スタンバイ電源回路
４        電源切換部
５        ホストコントローラ
６        ＵＳＢ端子（第１電源端子、第１データ端子）
７        接続検出部
７１      ＣＰＵ、制御手段
１００    第２通信機器、携帯型プレーヤ
１０１    ホストコントローラ
１０２    ＵＳＢ端子（第２電源端子、第２データ端子）
２００    第２通信機器、携帯型プレーヤ
２０１    ホストコントローラ
２０２    ＵＳＢ端子（第２電源端子、第２データ端子）
【図１】
0005621790.tif 000002
【図２】
0005621790.tif 000003
【図３】
0005621790.tif 000004
【図４】
0005621790.tif 000005
【図５】
0005621790.tif 000006
【図６】
0005621790.tif 000007
【図７】
0005621790.tif 000008